(57)【特許請求の範囲】
【請求項１】
ハンドルの回転により洗浄水を供給して便器洗浄を行わせるに際し、ハンドル側に設けたハンドル側ストッパと、該ハンドルを回転可能に保持する保持部材側に設けた保持側ストッパとの回転方向の当接作用により該ハンドルの回転量を規制し洗浄水量を定めるようにした洗浄ハンドル装置において、
前記保持部材又はハンドルに備えた軸方向に起立するストッパ付きの第１のストッパ部材に対して、軸方向に起立するストッパ付きの第２のストッパ部材を回転方向の異なった位置であって予め定めてある組付位置に組み付けることにより、若しくは組付位置を予め定めてある変更位置に変更することにより、
前記ハンドル側ストッパ及び保持側ストッパの少なくとも何れか一方の回転方向位置を調節可能となしたことを特徴とする洗浄ハンドル装置。
【請求項２】
請求項１において、前記第１のストッパ部材に対する前記第２のストッパ部材の相対的な回転方向の組付位置が変更可能となしてあり、該第２のストッパ部材の組付位置の変更により前記ハンドル側ストッパ及び保持側ストッパの少なくとも何れか一方の回転方向位置を調節可能となしてあることを特徴とする洗浄ハンドル装置。
【請求項３】
請求項１において、前記第２のストッパ部材を独立したブロック状に構成して該第２のストッパ部材を、該第２のストッパ部材の組付側である前記保持部材又はハンドルの差込穴に差し込んで組み付けるようになしてあることを特徴とする洗浄ハンドル装置。
【請求項４】
ハンドルの回転により洗浄水を供給して便器洗浄を行わせるに際し、ハンドル側に設けたハンドル側ストッパと、該ハンドルを回転可能に保持する保持部材側に設けた保持側ストッパとの回転方向の当接作用により該ハンドルの回転量を規制し洗浄水量を定めるようにした洗浄ハンドル装置において、
前記保持部材に備えた第１のストッパ部材に対して第２のストッパ部材が組付位置を変更可能に組み付けてあり、該第２のストッパ部材の組付位置を変更することにより、
前記保持側ストッパの回転方向位置を調節可能となしてあり、
前記第２のストッパ部材は、前記保持部材側において前記第１のストッパ部材の内周側又は外周側に組み付けてあることを特徴とする洗浄ハンドル装置。
【請求項５】
ハンドルの回転により洗浄水を供給して便器洗浄を行わせるに際し、ハンドル側に設けたハンドル側ストッパと、該ハンドルを回転可能に保持する保持部材側に設けた保持側ストッパとの回転方向の当接作用により該ハンドルの回転量を規制し洗浄水量を定めるようにした洗浄ハンドル装置において、
前記保持部材又はハンドルに備えた第１のストッパ部材に対して、第２のストッパ部材を被せる状態に組み付けることにより、若しくは組付位置を変更することにより、
前記ハンドル側ストッパ及び保持側ストッパの少なくとも何れか一方の回転方向位置を調節可能となしてあることを特徴とする洗浄ハンドル装置。
【発明の詳細な説明】
【技術分野】
【０００１】
この発明は、ハンドルの回転により且つ回転の方向や回転量に応じて便器に対する洗浄水の供給量を定める洗浄ハンドル装置に関し、詳しくは共通の洗浄ハンドル装置にて様々な洗浄タンクや洗浄方式に対応可能な洗浄ハンドル装置に関する。
【背景技術】
【０００２】
従来より、便器の洗浄装置として洗浄タンク内部に洗浄水を貯え、洗浄タンクに設けたハンドルを回転させることにより洗浄タンク底部の排出弁を開いて洗浄タンク内の洗浄水を便器側に放出（供給）し、便器洗浄を行うものが広く用いられている。
【０００３】
図１５はその一例を示している（下記特許文献１に開示のもの）。同図において２００は洗浄タンクで、２０２，２０４はその内部に設けられた浮玉，ボールタップである。
ボールタップ２０４は、その弁部が連動アーム２０６にて浮玉２０２と連結されており、洗浄タンク２００内部に貯えられた洗浄水が放出されて浮玉２０２が下降すると弁部を開いて給水口２０８から給水を行い、また洗浄タンク２００内部が満水状態となって浮玉２０２が上昇すると弁部を閉じて給水口２０８からの給水を停止する。
尚２１０はオーバーフロー管である。
【０００４】
２１２は洗浄ハンドル装置で、洗浄タンク２００の壁部に回転可能に設けられたハンドル２１３を有している。
ハンドル２１３からはＬ字状をなす作用レバー２１４が洗浄タンク２００内部に延び出していて、その先端が鎖２１８を介して洗浄タンク２１０底部の排出弁２１６に連結されている。
この便器の洗浄装置の場合、洗浄ハンドル装置２１２のハンドル２１３を回転操作すると、作用レバー２１４が一体に回転して鎖２１８を介し排出弁２１６を引き上げ、開動作させる。
すると洗浄タンク２００内部に貯えてある洗浄水が、排出口２２０から一挙に便器側に排出され、便器が洗浄される。
【０００５】
ところでこの種の便器の洗浄装置は、図１６（Ａ）に示しているようにハンドル２１３が洗浄タンク２００の左側面に取り付けられる場合と、図１６（Ｂ）に示しているように右側面に取り付けられる場合とがあり、それぞれでハンドル２１３の回転方向が逆方向となる。
また便器の種類が異なると洗浄の方式も異なったものとなり、これに応じてハンドル２１３の回転操作量も変化し、更に寒冷地においては凍結防止のためにハンドル２１３の操作によって排出弁２１６を開いたままとし、洗浄タンク内の洗浄水を流し放しとすることが行われている。
【０００６】
図１７〜図２０はこれを具体的に表したものである。
このうち図１７，図１８はハンドル２１３が洗浄タンク２００の左側面に取り付けられる場合を表しており、また図１７中（Ａ）は便器の洗浄方式が小洗浄ホールドの場合、具体的には小洗浄の場合には使用者がハンドル２１３を小洗浄側まで一杯に回転してそのまま保持する場合を表している。
この場合には、ハンドル２１３に対する正面視において使用者がハンドル２１３を左方向（時計方向）に９０°回転させることで大洗浄が行われ（（Ａ）（ロ）参照）、また右方向（反時計方向）にこれよりも小さい角度、例えば５５°回転させ且つそこに保持することで小洗浄が行われる（（Ａ）（ハ）参照）。
【０００７】
また寒冷地仕様の洗浄ハンドル装置２１２においては、ハンドル２１３を右方向に７５°回転した位置にこれを保持する機能が備えてあり、ハンドル２１３をこの位置に保持させておくことで排出弁２１６が開き放しととなり、洗浄タンク２００から便器に向けて水が一定量流れ放しとなり、凍結が防止される。
【０００８】
図１７（Ｂ）は便器の洗浄装置が節水タイプのものである場合のハンドルの操作を表している。
便器の洗浄装置の１種として、図１５に示しているように排出弁２１６と一体に昇降する水受器２２２を備えた形態のものがあり、この洗浄装置では、水受器２２２に水を溜めた状態又は水受器２２２内の水を排出した状態とに切替えることによって大洗浄と小洗浄とを切り替える。
詳しくは、水受器２２２に水を溜めた状態とすることで、これを排出弁２１６に対する錘として作用させ、これにより一旦開弁した排出弁２１６が閉じるまでの時間を短くして洗浄水の放出の量を少なくする。
【０００９】
また一方、水受器２２２内の水を排出し、水受器２２２内を空の状態とすることで、排出弁２１６が閉じるまでの時間を長くし、これによって洗浄水の放出量を多くし、大洗浄を行う。
この便器の洗浄装置では、水受器２２２内部に水を溜めた状態とするか、又は空の状態とするかによって、小洗浄と大洗浄とを切り替えるものであり、この場合には大洗浄の場合も、小洗浄の場合もハンドル２１３の回転量は等しいものとなる。
【００１０】
詳しくは、図１７（Ｂ）（ロ）に示しているようにハンドル２１３を左方向に９０°回転させることで大洗浄を行い、また同図（Ｂ）（ハ）に示しているように逆方向の右方向に９０°回転させることで小洗浄を行う。
また寒冷地においては水抜きを行うべく、ハンドル２１３を１１０°まで回転させた位置にこれを保持し、水を出っ放しとする。
【００１１】
次に、図１８（Ｃ）は大洗浄のみを行う場合のハンドル２１３の操作を表している。
同図に示しているように、この場合にはハンドル２１３を左方向に９０°回転操作することで大洗浄を行うが（（Ｃ）（ロ）参照）、小洗浄側即ち図中右方向には回転不能である。
この（Ｃ）の場合においても、寒冷地仕様のものでは水抜きを行う機能が備えられており、この場合にはハンドル２１３を使用者側に（手前に）引いた上で右方向に８５°回転させてタンク側に戻し、そこにこれを保持させて水を出っ放しとする。
【００１２】
一方図１９，図２０はハンドルが洗浄タンク２００の右側面に取り付けられる場合のハンドルの操作を表している。
このようにハンドル２１３が洗浄タンク２００の右側面に取り付けられる場合には、ハンドル２１３の回転方向が上記とは逆方向となる。
このようにハンドル２１３が洗浄タンク２００の右側面に取り付けられる場合においても、上記のように小洗浄ホールドの操作パターン（図１９（Ａ））と、節水の操作パターン（図１９（Ｂ））と、大洗浄のみの操作パターン（図２０（Ｃ））、更にはまたそれぞれで水抜きの際の操作パターンとがあり、何れもハンドル２１３の回転方向は、かかるハンドル２１３が洗浄タンク２００の左側面に取り付けられた場合、即ち図１７，図１８に示す場合と逆方向でその回転操作量は上記と同様となる。
【００１３】
以上のようにハンドルの操作のパターンは便器の種類や洗浄ハンドル装置の取り付く位置或いは寒冷地仕様であるか否か等の諸事情によって様々であり、従来にあってはそれぞれに専用の洗浄ハンドル装置を用意してこれを用いていた。
しかしながらこの場合、多種類の洗浄ハンドル装置が必要となり、洗浄ハンドル装置に要するコストも高くなるとともに、在庫管理も煩雑となり、また便器及び洗浄装置の設置されている現場において洗浄ハンドル装置を取り替える際、何れの種類の洗浄ハンドル装置であるかの特定が簡単ではなく、その特定のために時間を要するとともに、交換すべき洗浄ハンドル装置を誤ってしまうと、設置現場において洗浄ハンドル装置の取替えができなくなってしまうといったトラブルの原因ともなる。
【００１４】
本発明はこのような問題点を解決するために案出されたものである。
尚、下記特許文献２には湯水混合水栓においてハンドルを湯側に回転操作する際のストッパを設け、且つそのストッパの位置を調節できるようになした点が開示されているが、このものは湯水混合水栓に関するものであって本発明とは対象が異なっており、また本発明の対象とする洗浄ハンドル装置においてストッパ位置を変更するようになしたものは従来提案されていない。
【００１５】
【特許文献１】特開２００２−１６７８３８号公報
【特許文献２】特開平１１−２１９５９号公報
【発明の開示】
【発明が解決しようとする課題】
【００１６】
本発明は以上のような事情を背景とし、従来のようにハンドルの操作パターンの違いによってそれぞれに専用の洗浄ハンドル装置を用意する必要を無くし、共通の洗浄ハンドル装置にてそれぞれに対応可能な洗浄ハンドル装置を提供することを目的としてなされたものである。
【課題を解決するための手段】
【００１７】
而して請求項１のものは、ハンドルの回転により洗浄水を供給して便器洗浄を行わせるに際し、ハンドル側に設けたハンドル側ストッパと、該ハンドルを回転可能に保持する保持部材側に設けた保持側ストッパとの回転方向の当接作用により該ハンドルの回転量を規制し洗浄水量を定めるようにした洗浄ハンドル装置において、前記保持部材又はハンドルに備えた軸方向に起立するストッパ付きの第１のストッパ部材に対して、軸方向に起立するストッパ付きの第２のストッパ部材を回転方向の異なった位置であって予め定めてある組付位置に組み付けることにより、若しくは組付位置を予め定めてある変更位置に変更することにより、前記ハンドル側ストッパ及び保持側ストッパの少なくとも何れか一方の回転方向位置を調節可能となしたことを特徴とする。
【００１８】
請求項２のものは、請求項１において、前記第１のストッパ部材に対する前記第２のストッパ部材の相対的な回転方向の組付位置が変更可能となしてあり、該第２のストッパ部材の組付位置の変更により前記ハンドル側ストッパ及び保持側ストッパの少なくとも何れか一方の回転方向位置を調節可能となしてあることを特徴とする。
【００１９】
請求項３のものは、請求項１において、前記第２のストッパ部材を独立したブロック状に構成して該第２のストッパ部材を、該第２のストッパ部材の組付側である前記保持部材又はハンドルの差込穴に差し込んで組み付けるようになしてあることを特徴とする。
【００２０】
請求項４のものは、ハンドルの回転により洗浄水を供給して便器洗浄を行わせるに際し、ハンドル側に設けたハンドル側ストッパと、該ハンドルを回転可能に保持する保持部材側に設けた保持側ストッパとの回転方向の当接作用により該ハンドルの回転量を規制し洗浄水量を定めるようにした洗浄ハンドル装置において、前記保持部材に備えた第１のストッパ部材に対して第２のストッパ部材が組付位置を変更可能に組み付けてあり、該第２のストッパ部材の組付位置を変更することにより、前記保持側ストッパの回転方向位置を調節可能となしてあり、前記第２のストッパ部材は、前記保持部材側において前記第１のストッパ部材の内周側又は外周側に組み付けてあることを特徴とする。
【００２１】
請求項５のものは、ハンドルの回転により洗浄水を供給して便器洗浄を行わせるに際し、ハンドル側に設けたハンドル側ストッパと、該ハンドルを回転可能に保持する保持部材側に設けた保持側ストッパとの回転方向の当接作用により該ハンドルの回転量を規制し洗浄水量を定めるようにした洗浄ハンドル装置において、前記保持部材又はハンドルに備えた第１のストッパ部材に対して、第２のストッパ部材を被せる状態に組み付けることにより、若しくは組付位置を変更することにより、前記ハンドル側ストッパ及び保持側ストッパの少なくとも何れか一方の回転方向位置を調節可能となしてあることを特徴とする。
【発明の作用・効果】
【００２２】
以上のように本発明は、ハンドル側ストッパ及び保持側ストッパの少なくとも何れか一方のストッパの回転方向位置を調節可能となしたもので、本発明によれば、ストッパの回転方向位置を調節することで、ハンドルの回転量に対する規制を任意に変更し調節することができる。
【００２３】
これにより、操作パターンの様々に異なる各種の洗浄ハンドル装置を共通の洗浄ハンドル装置にて構成することが可能となり、洗浄ハンドル装置に要するコストを低減することができるとともに在庫管理を単純化でき、また設置現場において洗浄ハンドル装置を取り替える際においても、従来のように面倒な洗浄ハンドル装置の種類の特定を行わなくても良く、また洗浄ハンドル装置の種類を誤って特定してしまうことによって設置現場で洗浄ハンドル装置の交換ができなくなってしまうといった不都合も解消することができる。
【００２４】
本発明では、保持部材又はハンドルに備えた第１のストッパ部材に対して第２のストッパ部材を組み付けることにより若しくは組付位置を変えることにより、上記ストッパの回転方向位置を調節可能となすことができる。
【００２５】
このようにすれば容易にハンドルの回転規制を行うためのストッパの位置を回転方向に調節することができる。
この場合において、第１のストッパ部材に対する第２のストッパ部材の相対的な回転方向の組付位置を変更可能となし、その第２のストッパ部材の組付位置の変更により、ストッパの回転方向位置を調節可能となしておくことができる（請求項２）。
【００２６】
このようにすれば、第２のストッパ部材の組付位置を変更するだけで、簡単にハンドルの回転規制のためのストッパの回転方向位置が調節可能となる。
更にこの場合において、保持部材側で第２のストッパ部材を第１のストッパ部材の内周側又は外周側に組み付けておくことができる（請求項４）。
【００２７】
一方請求項１において、第２のストッパ部材を独立したブロック状に構成し、これを差込穴に差し込んで組み付けるようになし、これによりハンドルの回転量を規制するストッパの回転方向位置を調節するようになすことができる（請求項３）。
或いはまた、第２のストッパ部材を第１のストッパ部材に被せる状態に組み付け、その組付けによって或いは組付位置を回転方向に変更することで、ハンドルの回転量を規制するストッパの回転方向位置を調節するようになすことができる（請求項５）。
【００２８】
本発明においては、ハンドルを洗浄タンクの右に付けた場合と左に付けた場合とで、ハンドルに対する正面視において左右の回転範囲を対称とするように前記一方のストッパの回転方向位置を調節可能となしておくことができる。
また本発明においては、ハンドルを大洗浄側にのみ回転可能とするように前記一方のストッパ部の回転方向位置を調節可能となしておくことができる。
【００２９】
更に本発明においては、ハンドルに対する正面視において右方向と左方向とで同じ量だけ回転可能とするように前記一方のストッパ部の回転方向位置を調節可能となしておくことができる。
また本発明においては、ハンドルを所定角度位置に保持可能とするように前記一方のストッパ部の回転方向位置を調節可能となしておくことができる。
【発明を実施するための最良の形態】
【００３０】
次に本発明の実施形態を図面に基づいて詳しく説明する。
図１において、１０は洗浄タンクで、この洗浄タンク１０に図１〜図４に示す洗浄ハンドル装置１２が設けられている。
洗浄ハンドル装置１２は、ハンドル１４と、これから洗浄タンク１０内部に延び出した、全体としてＬ字状をなす作用レバー１６とを有している。
この作用レバー１６は、外筒部材１８とその内部に挿入された芯体２０とを有しており、その芯体２０の外筒部材１８への挿入量を変えることによって、作用レバー１６が全体的に伸縮可能とされている。即ち作用レバー１６の全体の長さが調節可能とされている。
【００３１】
この芯体２０の側面には、図３に示しているように軸方向に沿って所定ピッチで複数の係合溝２２が形成されている。
一方外筒部材１８には、図４に示しているように径方向に貫通の係合窓２４が設けられており、この係合窓２４において弾性を有する止め輪２６が上記複数の係合溝２２の何れかに係合されることで、外筒部材１８と芯体２０とが軸方向に固定されるようになっている。
【００３２】
尚芯体２０には上下に平坦な係合面２５が形成されており、また一方外筒部材１８には対応する上下の位置に平坦な係合面２７が形成され、それら係合面２５と２７との係合により、芯体２０と外筒部材１８とが軸周りに回転規制されている。
【００３３】
芯体２０は、図中左側に断面円形をなすスピンドル部２８を有している。
このスピンドル部２８の先端部には、角形状をなす係合部３０と略球状をなす嵌込部３２が設けられており、その嵌込部３２が図１に示しているようにハンドル１４の嵌込孔３４に弾性的に嵌め込まれ、抜止めされている。
また係合部３０が、ハンドル１４の中心部に形成された筒状部３６の内側の対応する角形状の係合孔３８に嵌入係合させられており、それら芯体２０とハンドル１４とが一体回転するようになっている。
【００３４】
ハンドル１４は、レバー部４０を有している。
また図３に示しているようにその内側には、中心部の筒状部３６からハンドル１４の円形の周壁部に向かって図中下向きにハの字状に開いた形態のストッパ（ハンドル側ストッパ）４２-１，４２-２が設けられている。
尚このハンドル１４の中心部の筒状部３６からはまた、リブ４４が円形の周壁部に向かって延び出しており、それらリブ４４によって筒状部３６と周壁部とが互いに連結されている。
ここでリブ４４の図中右側の端面はストッパ４２-１，４２-２の端面よりも図中左側に引き込んだ位置に位置している。
【００３５】
図１において、４６は洗浄タンク１０のタンク壁に取り付けられ、作用レバー１６を介してハンドル１４を保持する保持部材で、円筒形状をなすスピンドルガイド（第１のストッパ部材）４８と、その端部（図中左端部）の外周側に回転方向に位置調節可能に設けられた、スピンドルガイド４８とは別体をなす環状部材（第２のストッパ部材）５０とを有している。
このスピンドルガイド４８には、図１及び図３に示しているように内周側に段付部５４が設けられており、この段付部５４と、芯体２０の段付部５６との間にスプリング５８が介装され、かかるスプリング５８によって作用レバー１６及びハンドル１４が図中右向き、即ち洗浄タンク１０内部に向けて付勢されている。
【００３６】
環状部材５０には、図１及び図４に示しているように径方向内向きのフランジ部６０が設けられており、また一方スピンドルガイド４８の端部には径方向外向きのフランジ部６２が設けられており、環状部材５０は、このスピンドルガイド４８のフランジ部６２とタンク壁とで軸方向に挟まれる状態でスピンドルガイド４８に組み付けられている。
尚スピンドルガイド４８の外周面には雄ねじ６４が設けられており、この雄ねじ６４への固定ナット６６のねじ込みによって、保持部材４６がタンク壁に取り付けられている。
【００３７】
上記環状部材５０のハンドル１４側の面には、図５，図６に示しているように外周部に沿って円弧形状をなすストッパ６８が、ハンドル１４側に起立状態で設けられている。
このストッパ６８の図５及び図６中右側端部と左側端部とには切欠７０-１，７０-２が設けられている。
ここでストッパ６８は、図６に示しているように正面視において右側部分と左側部分とが対称形状をなしており、ストッパ６８の図中右端と左端とが、図中下端から同じ角度θ１の位置に位置している。
【００３８】
一方、スピンドルガイド４８のハンドル１４側の面にも同様にしてストッパ７２-１，７２-２が起立状態に設けられている。
これらストッパ７２-１，７２-２にも同様に切欠７４-１，７４-２が設けられている。
図５及び図６に示す状態において、環状部材５０側の切欠７０-１，７０-２と、スピンドルガイド４８側の切欠７４-１，７４-２とはそれぞれ互いに一致している。
【００３９】
図５及び図６に示しているように、スピンドルガイド４８にはハンドル１４側の端部の外周面に所定間隔で複数の楔状の噛合凹部６９が設けられている。
また一方、環状部材５０には対応する楔形状の噛合突起７１が一対設けられている。
【００４０】
スピンドルガイド４８と環状部材５０とは、それら噛合凹部６９と噛合突起７１との係合により相対的な回転方向位置が固定され、また噛合突起７１に係合するスピンドルガイド４８側の噛合凹部６９を異ならせることで、環状部材５０に対するスピンドルガイド４８の回転方向位置が調節される。
即ちストッパ７２-１，７２-２、更に切欠７４-１，７４-２の回転方向位置が図中右回転方向に或いは左回転方向に調節される。
【００４１】
本実施形態の洗浄ハンドル装置１２は、ハンドル１４が洗浄タンク１０の左側面に取り付けられる場合，右側面に取り付けられる場合、また便器の洗浄装置の種類が図１７〜図２０に示す小洗浄ホールド，節水洗浄，大洗浄のみの洗浄の何れである場合においても、また更に寒冷地仕様である場合，寒冷地仕様でない場合の何れかに対しても共通の洗浄ハンドル装置１２にて対応することが可能である。
図７〜図１２はこれを具体的に表している。
【００４２】
先ず図７はハンドル１４が洗浄タンク１０の左側面に取り付けられる場合で、且つの小洗浄ホールドの操作パターンである場合を表している。
この場合、スピンドルガイド４８に対する環状部材５０の組付位置を楔状の噛合凹部６９の１ピッチ分だけ図中左回転方向に変更することによって、スピンドルガイド４８の回転方向を右回転方向に変更し、これによってスピンドルガイド４８に設けたストッパ７２-１，７２-２を対応する角度だけ右回りに移動させる。
このとき、スピンドルガイド４８の図中右側のストッパ７２-１が、環状部材５０のストッパ６８の右端よりも図中右回転方向に移動した状態となる。
【００４３】
図７（イ）はハンドル１４が中立状態、即ちレバー部４０が下向きであってハンドル１４を何ら操作していない状態を示している。
この状態から、（ロ）に示しているようにハンドル１４を図中左方向に９０°まで回転させると、ハンドル１４側のストッパ４２-２が環状部材５０側のストッパ６８の図中左端に当接してそこで回転規制される。そしてこのときのハンドル１４の操作によって大洗浄が行われる。
【００４４】
一方、図７（ハ）に示しているようにハンドル１４を図中右方向（反時計方向）に回転させると、ハンドル１４のストッパ４２-１がスピンドルガイド４８のストッパ７２-１の右端に当接してそこで回転規制される。
このときのハンドル１４の回転角度は５５°である。そのようにストッパ７２-１の位置が予め定められている。
そしてこのようにハンドル１４を図中右方向に５５°回転させ、そこに保持させることで小洗浄、即ち小便時における便器の洗浄が行われる。
【００４５】
図７（ニ）は寒冷地において水抜きを行う際のハンドル１４の操作状態を表したもので、このときにはハンドル１４のリブ状のストッパ４２-１が、スピンドルガイド４８のストッパ７２-１の切欠７４-１に嵌った状態となって、ハンドル１４がそこに保持される。
このときのハンドル１４の回転角度は７５°である。
切欠７４-１の位置が予めそのように定められている。
尚ハンドル１４のストッパ４２-１を切欠７４-１に嵌め込むには次のようにすればよい。
即ちハンドル１４をスプリング５８の付勢力に抗してタンク壁から離れる方向に引っ張り、その状態でハンドル１４を図中右方向に回転させる。そしてハンドル１４が丁度中立位置から右方向に７５°回転したところで、ハンドル１４に対する引張力を除くと、スプリング５８の付勢力でハンドル１４がタンク壁側に引き戻され、ストッパ４２-１が切欠き７４-１に嵌り込んだ状態となる。
【００４６】
次に、図８は同じくハンドル１４が洗浄タンク１０の左側面に取り付けられた場合で、且つ便器の洗浄装置が節水洗浄タイプである場合のストッパの位置とハンドルの回転角度との関係を表したものである。
この節水洗浄におけるハンドル１４の操作パターンは、大洗浄，小洗浄何れの場合にもハンドル１４を同じ回転量だけ図中左向き又は右向きに回転させる場合である。
そこで、ここでは図８に示しているようにスピンドルガイド４８側のストッパ７２-１，７２-２を図６に示す状態、即ちスピンドルガイド４８側のストッパ７２-１，７２-２の右端及び左端が、それぞれ環状部材５０のストッパ６８の図中右端及び左端と同一位置となるようにしておく。
【００４７】
この状態でハンドル１４を図中左側の大洗浄側に一杯まで回転させると（図８（ロ））、ハンドル１４が９０°左方向に回転したところでハンドル１４側のストッパ４２-２が、スピンドルガイド４８のストッパ７２-２及び環状部材５０のストッパ６８のそれぞれの図中左端に当接して、そこで回転規制される。
そしてこのハンドル１４の回転操作により便器の大洗浄が行われる。
【００４８】
一方、図８（ハ）に示しているようにハンドル１４を今度は逆に図中右方向に９０°回転させると、その位置でハンドル１４側のストッパ４２-１が、スピンドルガイド４８のストッパ７２-１及び環状部材５０のストッパ６８のそれぞれの図中右端に当接して、そこで回転規制される。
【００４９】
但しこの場合には、（ロ）の大洗浄時に較べて洗浄タンク１０からの洗浄水の放出量は少なく、便器に対する小洗浄が行われる。
尚このようにハンドル１４を図中右向きに９０°回転させても小洗浄が行われるのは、図１５に示す水受器２２２に水を溜めておくことで、排出弁の閉弁までの時間が短くなることによる。
【００５０】
次に図８（ニ）は寒冷地において水抜きを行う際のハンドル１４の操作状態を表している。
図示のようにこのときには、ハンドル１４側のストッパ４２-１をスピンドルガイド４８及び環状部材５０の図中右側の切欠き７４-１及び７０-１に嵌め込んで、ハンドル１４の位置を図中右方向に１１０°回転した位置に保持しておく。
【００５１】
次に図９は便器の洗浄装置が大洗浄のみの場合のハンドル１４の操作パターンをストッパの位置関係とともに表したものである。
同図に示しているようにこのときには、スピンドルガイド４８を図７に示す状態よりも更に噛合凹部６９の１ピッチ分だけ環状部材５０に対し相対的に図中右向きに回転させておく。
このとき、スピンドルガイド４８のストッパ７２-１は図７に示す状態よりも更に図中右方向に前進移動した状態となる。
【００５２】
図９（イ）は、ハンドル１４が中立状態にある状態を表している。この状態からハンドル１４を図中左方向に９０°回転させると、ハンドル１４のストッパ４２-２が環状部材５０のストッパ６８の図中左端に当接して、そこで回転規制される（図９（ロ））。
このときのハンドル１４の回転角度は左方向に丁度９０°である。
【００５３】
一方ハンドルを１４（イ）の中立位置から図中右方向、即ち小洗浄側に回転しようとしても、ハンドル１４側のストッパ４２-１がスピンドルガイド４８のストッパ７２-１の右端に当接した状態にあって、ハンドル１４を図中右方向に回転することができない。
即ちこの大洗浄のみの場合には、ハンドル１４を小洗浄側には回転することができず、大洗浄側にのみ回転することができる。
【００５４】
図９（ハ）は寒冷地において水抜きを行う際のハンドル１４の操作状態を表している。
この水抜きの操作状態では、ハンドル１４の一対のストッパ４２-１，４２-２がスピンドルガイド４８のストッパ７２-１と７２-２との間に入り込んだ状態となって、ハンドル１４がそれらストッパ７２-１，７２-２の作用にて位置保持される。このときのハンドル１４の回転角度は図中右方向に丁度８５°回転した状態である。
ストッパ７２-１の図（ハ）中上端、即ち反時計方向の端の位置が予めそのように定められている。
【００５５】
図１０〜図１２は、ハンドル１４が洗浄タンク１４の右側面に取り付けられている場合の図７，図８，図９に相当するハンドル１４の操作状態を表した図である。
図７と図１０，図８と図１１，図９と図１２の比較から明らかなように、これら図１０，図１１，図１２では、スピンドルガイド４８のストッパ７２-１，７２-２が上記とは逆向きに回転方向位置が調節され、またハンドル１４の回転方向が図７〜図９に示すのと逆方向である点で他の点以外は基本的に図７〜図９に示すのと同様である。従ってここでは更に詳しい説明は省略する。
【００５６】
以上のような本実施形態によれば、ストッパ６８の回転方向位置を調節することで、ハンドル１４の回転量に対する規制を任意に変更し調節することができる。
これにより、操作パターンの様々に異なる各種の洗浄ハンドル装置を、共通の洗浄ハンドル装置１２にて構成することが可能となり、洗浄ハンドル装置に要するコストを低減することができるとともに、在庫管理を単純化でき、また設置現場において洗浄ハンドル装置を取り替える際においても、従来のように面倒な洗浄ハンドル装置の種類の特定を行わなくても良く、また洗浄ハンドル装置の種類を誤って特定してしまうことによって設置現場における洗浄ハンドル装置の交換ができなくなってしまうといった不都合も解消することができる。
【００５７】
本実施形態では、スピンドルガイド４８に対する環状部材５０の相対回転方向の組付位置を変えることにより、ハンドル１４の回転規制を行うためのストッパの位置を回転方向に容易に調節することができる。
【００５８】
次に図１３（Ａ）は本発明の他の実施形態を示している。
この例は、スピンドルガイド４８に環状部材５０を一体に構成して成る保持部材４６に、スピンドルガイド４８のストッパ７２-１，７２-２を備えるのに代えて、ブロック状をなすストッパ部材７６又は７８を組み付けて、ハンドル１４に対する回転規制を行うストッパの位置を回転方向に調節可能となした例である。
【００５９】
ここで保持部材４６には、ストッパ部材７６，７８の組み付けのための嵌込溝（蟻溝）７９-１，７９-２，７９-３，７９-４が設けられており、またブロック状をなすストッパ部材７６，７８の両面には、対応する蟻突状から成る突起８０-１，８０-２，８０-３，８０-４，８０-５，８０-６が設けられている。
【００６０】
この実施形態において、ストッパ部材７６の突起８０-１を保持部材４６の嵌込溝７９-４に嵌め込むことでストッパ部材７６が保持部材４６に組み付けられ、このストッパ部材７６によってハンドル１４を図中左向きに回転したとき、その回転量がストッパ部材７６のストッパ８２にて規制される。
このときのハンドル１４の図中左方向の回転角度は５５°で、この操作状態は図１０（ハ）に示したのと同じ操作状態である。
【００６１】
また一方、ストッパ部材７４を向きを逆向きとして、突起８０-２を保持部材４６の嵌込溝７９-１に嵌め込んでストッパ部材７４を保持部材４６に組み付けると、今度はハンドル１４を図中右方向に５５°だけ回転したところでハンドルの回転規制が行われる。
このときのハンドル１４の操作状態は図７（ハ）に示したのと同様の操作状態である。
【００６２】
次に、ストッパ部材７８の突起８０-３，８０-４を保持部材４６の嵌込溝７９-４，７９-３に嵌め込んで、ストッパ部材７８を保持部材４６の左側に組み付けると、ここにおいてハンドル１４は中立位置からの図中左方向の回転がストッパ８４に規制された状態となる。
このときのハンドル１４の操作状態は図１２（イ）に示したのと同様の操作状態である。
【００６３】
他方、ストッパ部材７８を表裏逆向きにして、突起８０-５，８０-６を保持部材４６の図中右側の嵌込溝７９-１，７９-２に嵌め込んでストッパ部材７８を保持部材４６の右側に組み付けると、今度はハンドル１４が中立位置から図中右方向に回転規制された状態となる。
このときのハンドル１４の操作状態は図９の（イ）に示したのと同様の操作状態となる。
このように、本実施形態においても容易にハンドル１４の回転規制を行うためのストッパの位置を回転方向に調節することができる。
【００６４】
次に、図１３（Ｂ）は本発明の更に他の実施形態を示している。
この例は、上記とは別の形態をなす保持部材８５に対して、これとは別体をなす、円弧状のストッパ８３を有するストッパ部材８６を保持部材８５の端面に被せるようにして、且つ回転方向に位置調節可能に組み付け、そのストッパ部材８６の回転方向の位置調節によって、ハンドル１４に対する回転規制を行うストッパの位置を回転方向に位置調節可能となした例である。
この実施形態においても、容易にハンドル１４の回転規制を行うためのストッパの位置を回転方向に調節することができる。
【００６５】
次に図１４は本発明の更に他の実施形態を示している。
この例はハンドル１４とは別体をなし、ストッパ８８，９０を有するブロック状に構成したストッパ部材９２を、ハンドル１４の差込穴９４又は９６に嵌め込んでハンドル１４側のストッパの位置、即ちハンドル１４の回転規制を行うためのストッパの位置を回転方向に位置調節するようになした例である。
この実施形態においても、容易にハンドル１４の回転規制を行うためのストッパの位置を回転方向に調節することができる。
【００６６】
以上本発明の実施形態を詳述したがこれはあくまで一例示であり、本発明はその趣旨を逸脱しない範囲において種々変更を加えた形態で構成可能である。
【図面の簡単な説明】
【００６７】
【図１】本発明の一実施形態の洗浄ハンドル装置を洗浄タンクへの取付状態で示す図である。
【図２】同実施形態の洗浄ハンドル装置を示す図である。
【図３】同実施形態の洗浄ハンドル装置を各部材に分解して示す図である。
【図４】同実施形態を図３とは異なる方向で示した図である。
【図５】同実施形態の要部を拡大して示した図である。
【図６】図５のストッパの位置関係を示した図である。
【図７】同実施形態の洗浄ハンドル装置の一操作パターンを示した模式図である。
【図８】図７とは異なる操作パターンを示した模式図である。
【図９】更に他の異なる操作パターンを示した模式図である。
【図１０】更に他の異なる操作パターンを示した模式図である。
【図１１】更に他の異なる操作パターンを示した模式図である。
【図１２】更に他の異なる操作パターンを示した模式図である。
【図１３】本発明の他の実施形態の要部を示した図である。
【図１４】本発明の更に他の実施形態の要部を示した図である。
【図１５】従来の便器の洗浄装置の一例を示した図である。
【図１６】ハンドルがタンクの左側面に取り付けられる場合と右側面に取り付けられる場合とを示した図である。
【図１７】従来のハンドルの操作パターンを示した模式図である。
【図１８】図１７とは異なる操作パターンを示した模式図である。
【図１９】更に他の操作パターンを示した模式図である。
【図２０】更に他の操作パターンを示した模式図である。
【符号の説明】
【００６８】
１２  洗浄ハンドル装置
１４  ハンドル
４２-１，４２-２，６８，７２-１，７２-２，８２，８３，８４，８８，９０  ストッパ
４６，８５  保持部材
４８  スピンドルガイド（第１のストッパ部材）
５０  環状部材（第２のストッパ部材）
７６，７８，８６，９２  ストッパ部材
９４，９６  差込穴
【図１】
0004705427.tif 000002
【図２】
0004705427.tif 000003
【図３】
0004705427.tif 000004
【図４】
0004705427.tif 000005
【図５】
0004705427.tif 000006
【図６】
0004705427.tif 000007
【図７】
0004705427.tif 000008
【図８】
0004705427.tif 000009
【図９】
0004705427.tif 000010
【図１０】
0004705427.tif 000011
【図１１】
0004705427.tif 000012
【図１２】
0004705427.tif 000013
【図１３】
0004705427.tif 000014
【図１４】
0004705427.tif 000015
【図１５】
0004705427.tif 000016
【図１６】
0004705427.tif 000017
【図１７】
0004705427.tif 000018
【図１８】
0004705427.tif 000019
【図１９】
0004705427.tif 000020
【図２０】
0004705427.tif 000021